(57)【要約】      （修正有）【課題】アイロン胴体に軸で結合されたクリップによって毛髪を弾発的に加圧し、ヒーターの熱によってストレート、ウェーブ等にセッティングするヘアアイロンにおいて、クリップの加圧力を調節可能とし、毛髪の更なる効果的なセッティングを可能とする。【解決手段】円筒状のアイロン胴体１０と、アイロン胴体の後方に延長形成された固定取っ手２０と、後方両側のヒンジ軸１１に結合され、テンションスプリングの弾発力によって、アイロン胴体の上部に押圧されるクリップ３０と、クリップの後方に上部に延長形成し、クリップを上下に押す作動をするレバー４０と、を含んで構成されるヘアアイロンであり、クリップの後方には下部に突出するように補助レバー５０を延長形成し、クリップによって毛髪を弾発的に加圧した後、補助レバーをさらに引っ張ることによってクリップの加圧力が調節可能であるように構成されている。【選択図】図１
2020108730.tif 000002
【特許請求の範囲】
【請求項１】
円筒状のアイロン胴体（１０）と、
前記アイロン胴体の後方に延長形成された固定取っ手（２０）と、
前記アイロン胴体の上部を覆うように結合して設置し、後方両側のヒンジ軸（１１）で結合され、テンションスプリングによって上下に弾発的に軸を中心に回転するクリップ（３０）と、
前記クリップの後方に上部に延長形成し、クリップを上下に押す作動をするレバー（４０）と、を含んで構成されるヘアアイロンにおいて、
前記クリップの後方には下部に突出するように補助レバー（５０）を延長形成し、前記クリップによって毛髪を弾発的に加圧した後、補助レバーをさらに引っ張ることによってクリップの加圧力を調節するように構成されたことを特徴とする二重レバー構造を有するヘアアイロン。
【請求項２】
前記クリップ（３０）の後方には、左右下部に左右延長部（３２）（３２）を突出形成し、
前記補助レバー（５０）は、中央に作動パネル（５１）を形成し、両側上部に左右組立溝（５２）（５２）を形成した後、左右組立溝（５２）（５２）をクリップの左右延長部（３２）（３２）に挿入して組み立てるように構成されたことを特徴とする、請求項１に記載の二重レバー構造を有するヘアアイロン。
【請求項３】
前記補助レバーの作動パネル（５１）は、ヘアアイロンを立てて置けるように水平に形成して構成されたことを特徴とする、請求項１又は２に記載の二重レバー構造を有するヘアアイロン。
【発明の詳細な説明】
【技術分野】
【０００１】
本発明は、ヘアアイロンに関し、より詳細には、アイロン胴体に軸で結合されているクリップによって毛髪を弾発的に加圧しながらヒーターの熱によってストレート、ウェーブ、カールなどにセッティングし、ユーザーが補助レバーをさらに引っ張ることによってクリップの加圧力を調節することができ、毛髪をさらに効果的にセッティング可能な二重レバー構造を有するヘアアイロンに関する。
【背景技術】
【０００２】
周知の通り、ヘアアイロンは、毛髪をストレート、ウェーブ、カールなどの多様なヘアスタイルに具現する美容器具の一つである。
【０００３】
このように、ヘアアイロンは美容室や家庭で広く使用されている。
【０００４】
前記のような従来のヘアアイロンは、図６に示すように、内部にヒーターが設けられるアイロン胴体２の後方に固定取っ手３を形成し、前記アイロン胴体の上部にスプリングの弾性力によって上下に弾発的に回転しながら毛髪の加圧作動をするようにクリップ５を軸７で結合し、前記クリップの後方にレバー６を一体に形成し、ユーザーが前記レバーを押すことによってクリップ５を軸を中心に回転させながらアイロン胴体２から広げた後、前記レバー６を押していた外力を除去することによってクリップ５がスプリングの弾性力によって元の位置に回転しながら毛髪を加圧し、ヒーターの熱によって毛髪をストレート、ウェーブ、カールなどにセッティングするようになる。
【０００５】
しかし、前記のような従来のヘアアイロンは、クリップ５がスプリングの弾性力によって回転しながら毛髪を加圧するが、前記クリップの弾性加圧力がスプリングの弾性力で固定されてセッティングされるので、前記クリップは、スプリングの弾性力より強く加圧するように使用することはできないという限界を有していた。
【０００６】
特に、前記クリップは、スプリングの反復使用によって弾性力が弱化し、毛髪をさらに効果的に加圧できなくなり、毛髪をセッティングする性能が徐々に低下し、これを補完できる対策がないという問題を有していた。
【先行技術文献】
【特許文献】
【０００７】
【特許文献１】韓国登録実用新案第２０−０４５８８９５号（２０１２年０２月２０日）
【特許文献２】韓国登録特許第１０−１１８７１６０号（２０１２年０９月２４日）
【発明の概要】
【発明が解決しようとする課題】
【０００８】
本発明は、前記のような従来技術における諸般の問題を解決するために発明されたものであって、アイロン胴体に軸で結合されているクリップによって毛髪を弾発的に加圧しながら、ヒーターの熱によってストレート、ウェーブ、カールなどにセッティングし、ユーザーが補助レバーをさらに引っ張ることによってクリップの加圧力を調節することができ、毛髪をさらに効果的にセッティングできるようにすることを目的とする。
【課題を解決するための手段】
【０００９】
このような本発明は、円筒状のアイロン胴体と；前記アイロン胴体の後方に延長形成された固定取っ手と；前記アイロン胴体の上部を覆うように結合して設置し、後方両側のヒンジ軸で結合され、テンションスプリングによって上下に弾発的に軸を中心に回転するクリップと；前記クリップの後方に上部に延長形成し、クリップを上下に押す作動をするレバーと；を含んで構成するにおいて、前記クリップの後方に下部に突出するように補助レバーを延長形成し、前記クリップによって毛髪を弾発的に加圧した後、補助レバーをさらに引っ張ることによってクリップの加圧力を調節するように構成されることを特徴とする。
【００１０】
本発明において、前記クリップの後方には左右下部に左右延長部を突出形成し、前記補助レバーは、中央に作動パネルを形成し、両側上部に左右組立溝を形成した後、左右組立溝をクリップの左右延長部に挿入して組み立てるように構成されることを特徴とする。
【００１１】
本発明において、前記補助レバーの作動パネルは、ヘアアイロンを立てて置けるように水平に形成して構成されることを特徴とする。
【発明の効果】
【００１２】
このような本発明は、円筒状のアイロン胴体の上部にクリップを軸で結合し、前記クリップの後方に上部に延長されるレバーを押す作動をしながら毛髪を弾発的に加圧することによって多様にセッティングし、前記クリップの後方に下部に突出する左右延長部に補助レバーを挿入して組み立てるので、前記クリップによって毛髪を弾発的に加圧した後、補助レバーをさらに引っ張ることによってクリップの加圧力を調節し、ストレート、ウェーブ、カールなどのヘアスタイルをさらに効果的にセッティングできるようになる。
【００１３】
特に、前記クリップは、スプリングの反復使用によって弾性力が弱化したとしても、補助レバーを用いてクリップの加圧力を補完することができ、さらに効果的に毛髪をセッティングできるようになる。
【００１４】
また、前記補助レバーを水平構造で形成し、ヘアアイロンを使用しないときに簡便に立てて置くことができ、さらに優れた使用便利性を有するという効果がある。
【図面の簡単な説明】
【００１５】
【図１】本発明のヘアアイロンを示す斜視図である。
【図２】図１の補助レバーの分離状態を示す斜視図である。
【図３】本発明のヘアアイロンを示す正面図である。
【図４】図３の作動図である。
【図５】図３の作動図である。
【図６】従来のヘアアイロンの一実施例を示す正面図である。
【発明を実施するための形態】
【００１６】
以下、前記のような本発明の好適な実施例を添付の図面を参照して具体的に説明する。
【００１７】
本発明の手動加圧式ヘアアイロンは、図１〜図５に示したように、アイロン胴体１０、固定取っ手２０、クリップ３０、レバー４０及び補助レバー５０を含んで構成される。
【００１８】
前記アイロン胴体１０は、円筒状の構造を有して内部にヒーター（図示せず）が内蔵され、ヒーターの熱によって毛髪をストレート、ウェーブ、カールなどに多様にセッティングするように構成される。
【００１９】
前記固定取っ手２０は、アイロン胴体の後方に延長形成し、電源線が連結され、電源ボタン２２が設けられるように構成される。
【００２０】
前記クリップ３０は、金属板材を折り曲げて形成し、アイロン胴体１０の上部を覆うように結合して設置し、前記アイロン胴体の後方両側に突出するヒンジ軸１１で結合され、テンションスプリング（図示せず）の弾発力によって上下に軸を中心に回転しながらアイロン胴体の毛髪を弾発的に加圧するように構成される。
【００２１】
前記レバー４０は、クリップの後方に上部に延長形成し、クリップを上下に押す作動をするように構成される。
【００２２】
前記補助レバー５０は、クリップの後方に下部に突出するように延長形成し、前記クリップによって毛髪を弾発的に加圧した後、さらに引っ張ることによってクリップの加圧力を調節するように構成される。
【００２３】
すなわち、前記クリップ３０の後方には、左右下部に左右延長部３２、３２を突出形成し、前記補助レバー５０は、中央には作動パネル５１を形成し、両側上部に左右組立溝５２、５２を形成した後、左右組立溝５２、５２をクリップの左右延長部３２、３２に挿入して組み立てるように構成される。
【００２４】
また、前記左右延長部３２、３２には、外側に軸突起３２ａを突出形成し、前記補助レバーの組立溝５２、５２には軸突起を挿入し、これらの離脱を防止するように組み立てるために軸孔５２ａを形成して構成されることが好ましい。
【００２５】
また、前記補助レバーの作動パネル５１は、ヘアアイロンを立てて置けるように水平に形成して構成される。
【００２６】
図中、未説明符号として、４５は、レバー４０の後方に結合され、レバーを押す作動をするときの滑りを防止する結合具を示す。
【００２７】
以下では、前記のように構成される本発明の作動及び作用に対して説明する。
【００２８】
まず、本発明のヘアアイロンは、補助レバー５０を簡単に組み立てて使用するが、前記クリップ３０の後方に左右下部に突出形成された左右延長部３２、３２に、補助レバーの上部両側に形成された左右組立溝５２、５２を挿入することによって簡単に組み立てて使用する。
【００２９】
このような本発明のヘアアイロンによって毛髪をセッティングしようとする場合、固定取っ手２０を掴んだ後、クリップの後方に上部に延長形成されているレバー４０を押す。
【００３０】
このように前記レバーを押すと、クリップ３０がテンションスプリング（図示せず）を弾発的に圧着しながらヒンジ軸１１を中心に回転し、前記クリップ３０をアイロン胴体１０から広げるようになる。
【００３１】
このような状態で前記アイロン胴体１０とクリップ３０との間に毛髪を挿入した後、レバー４０を押していた外力を除去すると、前記クリップ３０がテンションスプリングの弾発力によって軸を中心に回転しながら元の位置に復帰し、テンションスプリングの弾発力によって毛髪を加圧してセッティングするようになる。
【００３２】
この状態で、本発明は、ユーザーがクリップ３０の後方下部に連結された補助レバーの作動パネル５１をさらに引っ張ることによって、クリップ３０がヒンジ軸を中心にさらに回転しながらクリップ３０の加圧力をさらに強く調節するようになるので、毛髪をストレート、ウェーブ、カールなどにさらに効果的にセッティングできるようになる。
【００３３】
特に、前記クリップが、前記テンションスプリングの反復使用によって弾性力が弱化し、毛髪を十分に加圧できない場合にも、前記補助レバー５０を用いてクリップによって毛髪をさらに加圧するように調節することができ、毛髪を効果的にセッティングするようになる。
【００３４】
その他に、本発明のヘアアリロングを使用しないときは、前記補助レバー５０の作動パネル５１が水平に形成されているので、これを用いてヘアアイロンを簡便に立てて置くことができる。
【００３５】
したがって、本発明は、アイロン胴体１０の上部にクリップ３０を軸で結合し、前記クリップの後方に上部に延長されるレバー４０を押す作動をしながら毛髪を弾発的に加圧することによって多様にセッティングし、前記クリップの後方下部に補助レバー５０をさらに設け、クリップで毛髪を弾発的に加圧した後、補助レバーをさらに引っ張ることによってクリップの加圧力を調節しながらストレート、ウェーブ、カールなどのヘアスタイルをさらに効果的にセッティングできるようになる。
【符号の説明】
【００３６】
１０    アイロン胴体
１１    ヒンジ軸
２０    固定取っ手
３０    クリップ
３２    左右延長部
４０    レバー
５０    補助レバー
５１    作動パネル
５２    左右組立溝
【図１】
2020108730.tif 000003
【図２】
2020108730.tif 000004
【図３】
2020108730.tif 000005
【図４】
2020108730.tif 000006
【図５】
2020108730.tif 000007
【図６】
2020108730.tif 000008